(57)【要約】【課題】  薄型ファインダ装置を可能とする接眼式表示装置とこれを用いた薄型カメラを提供すること。【解決手段】  観察光学系の光軸Ｉ中に配置された偏光分離手段５と、前記偏光分離手段を挟んで前記光軸に対して略直交する方向に対向して配置された映像表示手段７と照明手段９と、前記光軸中に配置された光学パワーを有する光学部材１３と、前記偏光分離手段と前記光学部材との間に配置された１／４波長板１５を有し、前記照明手段からの特定方向に偏光された光束は、前記偏光分離手段を透過して前記映像表示手段に入射し、前記映像表示手段で前記光束の偏光方向が変調され反射出射されて前記偏光分離手段に入射し、前記偏光分離手段で反射され、前記１／４波長板を透過して前記光学部材で前記偏光分離手段方向に反射され、前記１／４波長板と前記偏光分離手段を透過して前記光軸に沿って出射する接眼式表示装置１。【選択図】  図１
2006064994.tif 000002
【特許請求の範囲】
【請求項１】
観察光学系の光軸中に配置された偏光分離手段と、
前記偏光分離手段を挟んで前記光軸に対して略直交する方向に対向して配置された映像表示手段と照明手段を有し、
前記照明手段からの特定方向に偏光された光束は、前記偏光分離手段を透過して前記映像表示手段に入射し、前記映像表示手段で前記光束の偏光方向が変調され反射出射されて前記偏光分離手段に入射し、前記偏光分離手段で反射されて前記光軸に沿って出射することを特徴とする接眼式表示装置。
【請求項２】
前記偏光分離手段は、光学パワーを有することを特徴とする請求項１に記載の接眼式表示装置。
【請求項３】
観察光学系の光軸中に配置された偏光分離手段と、
前記偏光分離手段を挟んで前記光軸に対して略直交する方向に対向して配置された映像表示手段と照明手段と、
前記光軸中に配置された光学パワーを有する光学部材と、
前記偏光分離手段と前記光学部材との間に配置された１／４波長板を有し、
前記照明手段からの特定方向に偏光された光束は、前記偏光分離手段を透過して前記映像表示手段に入射し、前記映像表示手段で前記光束の偏光方向が変調され反射出射されて前記偏光分離手段に入射し、前記偏光分離手段で反射され、前記１／４波長板を透過して前記光学部材で前記偏光分離手段方向に反射され、前記１／４波長板と前記偏光分離手段を透過して前記光軸に沿って出射することを特徴とする接眼式表示装置。
【請求項４】
外界の実像を前記光軸に沿って入射し、前記映像表示手段からの映像と前記実像とを重畳して観察可能なことを特徴とする請求項１から３のいずれか１項に記載の接眼式表示装置。
【請求項５】
前記偏光分離手段は、前記照明手段と前記映像表示手段との間に配置された光導波路内に設けられていることを特徴とする請求項１から４のいずれか１項に記載の接眼式表示装置。
【請求項６】
前記光導波路は、２つのプリズムを接合して構成され、
前記接合位置のいずれか一方のプリズム面に前記偏光分離手段が形成され、
前記偏光分離手段を挟んで対向する前記光導波路の第１の面と第２の面があり、前記第１の面の近傍に前記映像表示手段が配置され、第２の面の近傍に前記照明手段がそれぞれ配置されていることを特徴とする請求項５に記載の接眼式表示装置。
【請求項７】
前記偏光分離手段は、特定の波長の光束を透過または反射する波長選択特性を有することを特徴とする請求項１から６のいずれか１項に記載の接眼式表示装置。
【請求項８】
前記光学部材は特定の波長の光束を反射する波長選択特性を有することを特徴とする請求項３に記載の接眼式表示装置。
【請求項９】
請求項１から８のいずれか１項に記載の接眼式表示装置を具備することを特徴とするカメラ。
【発明の詳細な説明】
【技術分野】
【０００１】
本発明は、デジタルカメラのファインダ表示装置に関する。
【背景技術】
【０００２】
従来、デジタルカメラのファインダの構成を小型化するために電子ビューファインダを用いることが知られている（例えば、特許文献１参照。）。
【特許文献１】特開昭６１−２３４６６８号公報
【発明の開示】
【発明が解決しようとする課題】
【０００３】
従来の電子ビューファインダでは、後方から照明された液晶表示パネルに映像を表示し、これを接眼レンズで拡大観察するように構成されていた。このため、液晶表示パネルを小型化すればするほど表示する画像が粗くなるほか、観察光学系の光軸方向の距離が大きくなりファインダ部分を薄型化することが難しいと言う問題がある。
【０００４】
本発明は、上記問題に鑑み行われたものであり、ファインダ装置の薄型化と高精細化を可能とする接眼式表示装置とこれを用いた薄型カメラを提供することを目的としている。
【課題を解決するための手段】
【０００５】
上記目的を達成するために、本発明は、観察光学系の光軸中に配置された偏光分離手段と、前記偏光分離手段を挟んで前記光軸に対して略直交する方向に対向して配置された映像表示手段と照明手段を有し、前記照明手段からの特定方向に偏光された光束は、前記偏光分離手段を透過して前記映像表示手段に入射し、前記映像表示手段で前記光束の偏光方向が変調され反射出射されて前記偏光分離手段に入射し、前記偏光分離手段で反射されて前記光軸に沿って出射することを特徴とする接眼式表示装置を提供する。
【０００６】
また、本発明の接眼式表示装置では、前記偏光分離手段は、光学パワーを有する構成が好ましい。
【０００７】
また、本発明は、観察光学系の光軸中に配置された偏光分離手段と、前記偏光分離手段を挟んで前記光軸に対して略直交する方向に対向して配置された映像表示手段と照明手段と、前記光軸中に配置された光学パワーを有する光学部材と、前記偏光分離手段と前記光学部材との間に配置された１／４波長板を有し、前記照明手段からの特定方向に偏光された光束は、前記偏光分離手段を透過して前記映像表示手段に入射し、前記映像表示手段で前記光束の偏光方向が変調され反射出射されて前記偏光分離手段に入射し、前記偏光分離手段で反射され、前記１／４波長板を透過して前記光学部材で前記偏光分離手段方向に反射され、前記１／４波長板と前記偏光分離手段を透過して前記光軸に沿って出射することを特徴とする接眼式表示装置を提供する。
【０００８】
また、本発明の接眼式表示装置は、外界の実像を前記光軸に沿って入射し、前記映像表示手段からの映像と前記実像とを重畳して観察可能な構成が好ましい。
【０００９】
また、本発明の接眼式表示装置では、前記偏光分離手段は、前記照明手段と前記映像表示手段との間に配置された光導波路内に設けられていることが好ましい。
【００１０】
また、本発明の接眼式表示装置では、前記光導波路は、２つのプリズムを接合して構成され、前記接合位置のいずれか一方のプリズム面に前記偏光分離手段が形成され、前記偏光分離手段を挟んで対向する前記光導波路の第１の面と第２の面があり、前記第１の面の近傍に前記映像表示手段が、前記第２の面の近傍に前記照明手段がそれぞれ配置されている構成が好ましい。
【００１１】
また、本発明の接眼式表示装置では、前記偏光分離手段は、特定の波長の光束を透過または反射する波長選択特性を有することが好ましい。
【００１２】
また、本発明の接眼式表示装置では、前記光学部材は特定の波長の光束を反射する波長選択特性を有することが好ましい。
【００１３】
また、本発明は、前記接眼式表示装置を具備することを特徴とするカメラを提供する。
【発明の効果】
【００１４】
本発明によれば、ファインダ装置の薄型化と高精細化を可能とする接眼式表示装置とこれを用いた薄型カメラを提供することが可能となる。
【発明を実施するための最良の形態】
【００１５】
以下、本発明の実施の形態に関し図面を参照しつつ説明する。
【００１６】
図１は、本発明の第１実施の形態にかかる接眼式表示装置の概略構成図である。図２は、図１の接眼式表示装置に用いられる偏光分離手段及びホログラムの分光反射特性を示す。図３は、本発明の第２実施の形態にかかる接眼式表示装置の概略構成図である。図４は、本発明の第３実施の形態にかかる接眼式表示装置の概略構成図である。図５は、本発明の第４実施の形態にかかる接眼式表示装置の概略構成図である。図６は、本発明の第５実施の形態にかかる接眼式表示装置の概略構成図である。図７は、本発明の実施の形態にかかる接眼式表示装置をファインダ装置に用いたカメラの一例を示す概略構成図である。
【００１７】
（第１実施の形態）
本発明の第１実施の形態にかかる接眼式表示装置に付いて図１、図２を参照しつつ説明する。
【００１８】
図１において、観察光学系の光軸Ｉに略垂直な一対の平面３ａ、３ｂと、平面３ａ、３ｂに略垂直で観察光学系の光軸Ｉ（以後、光軸Ｉと記す）を挟んで対向する平面３ｃ、３ｄを有する光導波路３が２つのプリズム３ｅ、３ｆを接合して構成されている。２つのプリズム３ｅ，３ｆの接合部分には光軸Ｉに略４５度傾けて図２に示す波長選択特性を有する偏光分離ミラー５（以後、ＰＢＳと記す）が形成されている。平面３ｃの近傍には映像や各種情報を表示する反射型液晶表示装置７（以後、ＬＣＯＳと記す：Ｌｉｑｕｉｄ  Ｃｒｙｓｔａｌ  Ｏｎ  Ｓｉｌｉｃｏｎの略）が配置され、平面３ｃに光軸Ｉに対して対向する平面３ｄの近傍にＬＣＯＳ７を照明する照明系９が配置され、平面３ｄと照明系９との間に照明系９からの光束を所定の方向に偏光する偏光板１１が設けられている。平面３ｂの近傍の光軸Ｉ中に、凹面鏡と同様の効果を有するとともに、図２に示す波長選択特性を有するホログラム１３が配置され、平面３ｂとホログラム１３との間に１／４波長板１５が設けられている。この様にして接眼式表示装置１が構成されている。なお、偏光板１１は平面３ｄに接合した構成であっても良い。また１／４波長板１５は平面３ｂに接合した構成であっても良い。
【００１９】
続いて、本第１実施の形態にかかる接眼式表示装置１の動作について説明する。照明系９でコリメートされて出射した光束は、偏光板１１で所定の方向に偏光され（例えば、Ｐ偏光）、光導波路３の平面３ｄに略垂直に入射する。平面３ｄから入射した光束は、ＰＢＳ５を通過して平面３ｃから出射しＬＣＯＳ７に照射され、ＬＣＯＳ７に表示される映像で偏光方向を変調（Ｓ偏光）されて反射出射し、再び平面３ｃから光導波路３に入射する。ＬＣＯＳ７で変調された光束は、ＰＢＳ５で光導波路３の平面３ｂ側に反射されて光軸Ｉに沿って進行し、平面３ｂから出射して１／４波長板１５を通過し円偏光に変換されホログラム１３に入射する。ホログラム１３に入射した光束は、ホログラム１３で反射されて光軸Ｉに沿って進行し再び１／４波長板１５を通過し円偏光から直線偏光に変換される。１／４波長板１５を通過した光束は、入射するときの光束に対して９０度偏光方向が回転されてＳ偏光がＰ偏光に変換されているので、ＰＢＳ５を通過して観察眼１７に結像されて映像が観察される。なお、図１で光軸ＩをＰＢＳ５及びホログラム１３の中心からずらして記載しているのは説明のためである。
【００２０】
照明系９の光源は、赤色（Ｒｅｄ）緑色（Ｇｒｅｅｎ）青色（Ｂｕｌｅ）（以後、ＲＧＢと記す）三色のＬＥＤで構成され、照明系９の不図示の光学系でコリメートされた光束がＬＣＯＳ７に向けて出射される。照明系９ではＲＧＢの各色が時分割で点灯し、これに同期してＬＣＯＳ７では点灯したＬＥＤの色に対応する映像を表示し、三色が観察眼１７で合成されフルカラー映像が観察可能になる。
【００２１】
各色のＬＥＤの波長は、ＰＢＳ５及びホログラム１３の波長特性に対応している。図２は、ＰＢＳ５及びホログラム１３の分光特性の一例を示している。横軸は波長を、縦軸は反射率を示す。ＰＢＳ５及びホログラム１３は赤色（波長λＲ）、緑色（波長λＧ）、青色（波長λＢ）の各波長の光を反射する離散的かつ狭帯域の波長特性を有しており、この波長の光に対してのみ光学的な作用を有している。この様に、ＰＢＳ５及びホログラム１３は、選択された波長λＢ、λＧ、及びλＲ以外の波長の光は透過するので、外界１９から光軸Ｉに沿って入射する光束はホログラム１３及びＰＢＳ５を透過して観察眼１７に到達し、所謂シースルー接眼式表示装置として機能する。この結果、外界１９の実像とＬＣＯＳ７に表示された映像とを観察眼１７で重畳して観察することができる。
【００２２】
本第１実施の形態の接眼式表示装置１によれば、映像表示装置として微細加工で形成されたＬＣＯＳ７を用いているため、従来の透過型の表示装置に比べ画素サイズを微細にすることができ、高い解像度の映像を表示することができる。また、ＰＢＳ５及びホログラム１３に波長選択特性を持たせ、選択波長に対応するＬＥＤ照明光源を用いることで明るい映像を表示することができると共に、外界からの実像を表示映像と重畳して観察可能なシースルー接眼式表示装置を実現できる。さらに、ＬＣＯＳ７に表示された映像をホログラム１３の光学パワーによって観察眼１７に結像する構成としているため、接眼式表示素子の光軸Ｉ方向の厚さを従来の接眼レンズを用いた表示装置に比べて薄型化することができる。従って、後述するカメラのファインダ装置に本第１実施の形態にかかる接眼式表示装置１を用いることで、ファインダ装置を薄くできるためカメラ全体を薄型化することが可能になる。なお、本第１実施の形態にかかる接眼式表示装置１は、カメラに限らずシースルータイプのウエアラブルディスプレイに適用することも可能である。
【００２３】
（第２実施の形態）
次に、本発明の第２実施の形態にかかる接眼式表示装置に着いて図３を参照しつつ説明する。本第２実施の形態は、第１実施の形態に対してＬＣＯＳ７及び照明系９の近傍のプリズム面が光軸Ｉに対して傾けられ、かつ互いに平行に形成されているところが異なっている。その他の構成は第１実施の形態と同様であり同じ符号を付し説明を省略する。
【００２４】
図３において、観察光学系の光軸Ｉに略垂直な一対の平面２３ａ、２３ｂと、平面２３ａ、２３ｂに所定角度傾いて観察光学系の光軸Ｉを挟んで対向する平面２３ｃ、２３ｄを有する光導波路２３が２つのプリズム２３ｅ、２３ｆを接合して構成されている。２つのプリズム２３ｅ，２３ｆの接合部分には光軸Ｉに略４５度傾けて図２に示す波長選択特性を有する偏光分離ミラー５（以後、ＰＢＳと記す）が形成されている。その他の構成は第１実施の形態と同様であり説明を省略する。この様にして接眼式表示装置１００が構成されている。
【００２５】
本第２実施の形態では、平面２３ｃと平面２３ｄとが光軸Ｉに対して所定の角度傾け、かつ互いに平行に形成され、平面２３ｃの近傍にＬＣＯＳ７が、平面２３ｄの近傍に偏光板１１と照明系９が配置されている。
【００２６】
照明系９からのコリメートされた照明光束は、平面２３ｄに略垂直で平面２３ａと平面２３ｂに対して全反射する角度で入射され、平面２３ａと平面２３ｂで全反射され平面２３ｃから出射しＬＣＯＳ７を照明する。ＬＣＯＳ７からの反射光束は、平面２３ｃに略垂直で平面２３ｂに対して全反射する角度で入射される。この結果、光導波路２３の光軸Ｉ方向の厚さは、照明光束または反射光束が平面２３ａ、２３ｂとなす角度の余弦（ｃｏｓ）をかけた厚さですむため、第１実施の形態の光導波路３に比べ更に薄型化することが可能となる。なお、図３では照明光束の折り返し回数を１回にしているが、折り返し回数は複数回にしても良く、適宜設計で決めれば良い。折り返し回数を増やすことによって光導波路２３の光軸Ｉ方向の厚さをより薄くすることができる。その他の構成、作用、及び効果は第１実施の形態と同様であり説明を省略する。
【００２７】
（第３実施の形態）
次に、本発明の第３実施の形態にかかる接眼式表示装置について図４を参照しつつ説明する。本第３実施の形態は、シースルーにする必要が無い場合の構成であり、第１実施の形態と同様の構成には同じ符号を付し説明する。
【００２８】
図４において、観察光学系の光軸Ｉに略垂直な一対の平面３ａ、３ｂと、平面３ａ、３ｂに略垂直で観察光学系の光軸Ｉを挟んで対向する平面３ｃ、３ｄを有する光導波路３が２つのプリズム３ｅ、３ｆを接合して構成されている。２つのプリズム３ｅ，３ｆの接合部分には光軸Ｉに略４５度傾けて偏光分離ミラー５（以後、ＰＢＳと記す）が形成されている。平面３ｃの近傍にはＬＣＯＳ７が配置され、平面３ｃに光軸Ｉに対して対向する平面３ｄの近傍にＬＣＯＳ７を照明する照明系９が配置され、平面３ｄと照明系９との間に照明系９からの光束を所定の方向に偏光する偏光板１１が設けられている。平面３ｂの近傍の光軸Ｉ中に凹面鏡１１３が配置され、平面３ｂと凹面鏡１１３との間に１／４波長板１５が設けられている。この様にして接眼式表示装置２００が構成されている。なお、偏光板１１は平面３ｄに接合した構成であっても良い。また１／４波長板１５は平面３ｂに接合した構成であっても良い。
【００２９】
続いて、本第３実施の形態にかかる接眼式表示装置２００の動作について説明する。照明系９でコリメートされて出射した光束は、偏光板１１で所定の方向に偏光され（例えば、Ｐ偏光）、光導波路３の平面３ｄに略垂直に入射する。平面３ｄから入射した光束は、ＰＢＳ５を通過して平面３ｃから出射しＬＣＯＳ７に照射され、ＬＣＯＳ７に表示される映像で偏光方向を変調（Ｓ偏光）されて反射出射し、再び平面３ｃから光導波路３に入射する。ＬＣＯＳ７で変調された光束は、ＰＢＳ５で光導波路３の平面３ｂ側に反射されて光軸Ｉに沿って進行し、平面３ｂから出射して１／４波長板１５を通過し円偏光に変換され凹面鏡１１３に入射する。凹面鏡１１３に入射した光束は、凹面鏡１１３で反射されて光軸Ｉに沿って進行し再び１／４波長板１５を通過し円偏光から直線偏光に変換される。１／４波長板１５を通過した光束は、入射するときの光束に対して９０度偏光方向が回転されてＳ偏光がＰ偏光に変換されているので、ＰＢＳ５を通過して観察眼１７に結像されて映像が観察される。なお、図１で光軸ＩをＰＢＳ５及び凹面鏡１１３の中心からずらして記述しているのは説明のためである。
【００３０】
照明系９の光源は、赤色（Ｒｅｄ）緑色（Ｇｒｅｅｎ）青色（Ｂｕｌｅ）（以後、ＲＧＢと記す）三色のＬＥＤで構成され、照明系９でコリメートされた光束がＬＣＯＳ７に向けて出射される。照明系９ではＲＧＢの各色が時分割で点灯し、これに同期してＬＣＯＳ７は点灯したＬＥＤの色に対応する映像を表示し、三色が観察眼１７で合成されフルカラー映像が観察可能になる。
【００３１】
本第３実施の形態の接眼式表示装置２００によれば、映像表示装置として微細加工で形成されたＬＣＯＳ７を用いているため、従来の透過型の表示装置に比べ画素サイズを微細にすることができ、高い解像度の映像を表示することができる。また、ＬＣＯＳ７に表示された映像を凹面鏡１１３よって観察眼１７に結像する構成としているため、接眼式表示装置２００の光軸Ｉ方向の厚さを従来の接眼レンズを用いた表示装置に比べて薄型化することができる。従って、後述するカメラのファインダ装置に本第３実施の形態にかかる接眼式表示装置２００を用いることで、ファインダ装置を薄くできるためカメラ全体を薄型化することが可能になる。
【００３２】
（第４実施の形態）
次に、本発明の第４実施の形態にかかる接眼式表示装置について図５を参照しつつ説明する。本第４実施の形態は、第３実施の形態の光導波路３を第２実施の形態の光導波路２３と同様の構成に変更したものであり、第２実施の形態及び第３実施の形態と同様の構成には同じ符号を付し説明を省略する。
【００３３】
図５において、観察光学系の光軸Ｉに略垂直な一対の平面２３ａ、２３ｂと、平面２３ａ、２３ｂに所定角度傾いて観察光学系の光軸Ｉを挟んで対向する平面２３ｃ、２３ｄを有する光導波路２３が２つのプリズム２３ｅ、２３ｆを接合して構成されている。２つのプリズム２３ｅ，２３ｆの接合部分には光軸Ｉに略４５度傾けて偏光分離ミラー５（以後、ＰＢＳと記す）が形成されている。平面２３ｃの近傍にＬＣＯＳ７が、平面２３ｄの近傍に偏光版１１照明系９が配置されている。その他の構成は第３実施の形態と同様であり説明を省略する。この様にして接眼式表示装置３００が構成されている。また、作用、及び効果は第２、第３実施の形態と同様であり説明を省略する。
【００３４】
（第５実施の形態）
次に、本発明の第５実施の形態にかかる接眼式表示装置に付いて図６を参照しつつ説明する。本第５実施の形態は、第１実施の形態において、偏光分離手段に光学パワーを付与し、光軸中に配置された１／４波長板とホログラムとを除いた構成であり、第１実施の形態と同様の構成には同じ符号を付し説明する。
【００３５】
図６において、観察光学系の光軸Ｉに略垂直な一対の平面３３ａ、３３ｂと、平面３３ａ、３３ｂに略垂直で観察光学系の光軸Ｉを挟んで対向する平面３３ｃ、３３ｄを有する光導波路３が２つのプリズム３３ｅ、３３ｆを接合して構成されている。２つのプリズム３３ｅ，３３ｆの接合部分には光軸Ｉに傾けて図２に示す波長選択特性を有し、かつ凹面鏡と同様の光学パワーを有する偏光分離ミラー５５（以後、パワー付ＰＢＳと記す）が形成されている。平面３ｃの近傍にはＬＣＯＳ７が配置され、平面３３ｃに光軸Ｉに対して対向する平面３３ｄの近傍にＬＣＯＳ７を照明する照明系９が配置され、平面３３ｄと照明系９との間に照明系９からの光束を所定の方向に偏光する偏光板１１が設けられている。この様にして接眼式表示装置４００が構成されている。なお、偏光板１１は平面３３ｄに接合した構成であっても良い。
【００３６】
続いて、本第５実施の形態にかかる接眼式表示装置４００の動作について説明する。照明系９でコリメートされて出射した光束は、偏光板１１で所定の方向に偏光され（例えば、Ｐ偏光）、光導波路３３の平面３３ｄに略垂直に入射する。平面３３ｄから入射した光束は、パワー付ＰＢＳ５５を通過して平面３３ｃから出射しＬＣＯＳ７に照射され、ＬＣＯＳ７に表示される映像で偏光方向を変調（Ｓ偏光）されて反射出射し、再び平面３３ｃから光導波路３３に入射する。ＬＣＯＳ７で変調された光束は、パワー付ＰＢＳ５５で観察眼１７の方向に反射され、パワー付ＰＢＳ５５の光学パワーによって観察眼１７に結像されて映像が観察される。
【００３７】
照明系９の光源は、赤色（Ｒｅｄ）緑色（Ｇｒｅｅｎ）青色（Ｂｕｌｅ）（以後、ＲＧＢと記す）三色のＬＥＤで構成され、照明系９でコリメートされた光束がＬＣＯＳ７に向けて出射される。照明系９ではＲＧＢの各色が時分割で点灯し、これに同期してＬＣＯＳ７は点灯したＬＥＤの色に対応する映像を表示し、三色が観察眼１７で合成されフルカラー映像が観察可能になる。
【００３８】
各色のＬＥＤの波長は、パワー付ＰＢＳ５５波長特性に対応している。図２は、パワー付ＰＢＳ５５分光特性の一例を示している。横軸は波長を、縦軸は反射率を示す。パワー付ＰＢＳ５５は赤色（波長λＲ）、緑色（波長λＧ）、青色（波長λＢ）の各波長の光を反射する離散的かつ狭帯域の波長特性を有しており、この波長の光に対してのみ光学的な作用を有している。この様に、パワー付ＰＢＳ５５は選択された波長λＢ、λＧ、及びλＲ以外の波長の光は透過するので、外界１９から光軸Ｉに沿って入射する光束はパワー付ＰＢＳ５５を透過して観察眼１７に到達し、所謂シースルー接眼式表示装置として機能する。この結果、外界１９の実像とＬＣＯＳ７に表示された映像とを観察眼１７で重畳して観察することができる。
【００３９】
本第５実施の形態の接眼式表示装置４００によれば、ＬＣＯＳ７に表示された映像をパワー付ＰＢＳ５５の光学パワーによって観察眼１７に結像する構成としているため、接眼式表示素子の光軸Ｉ方向の厚さを従来の接眼レンズを用いた表示装置に比べて薄型化することができる。その他の効果は第１実施の形態と同様であり説明を省略する。
【００４０】
なお、本第５実施の形態の光導波路３３を第２実施の形態と同様の形状を有する光導波路にしてパワー付ＰＢＳ５５を配置しても同様の効果を奏する。
【００４１】
また、上記全ての実施の形態において、映像表示素子ＬＣＯＳに代えてＤＭＤ素子を用いても同様の効果を奏する。
【００４２】
（カメラへの実施の形態）
上述の各実施の形態に示す接眼式表示装置をデジタルカメラのファインダ装置に用いた一実施の形態を図７に示しつつ説明する。
【００４３】
図７において、デジタルカメラ５０は、カメラ本体５１と、カメラ本体５１の背面に設けられ撮影した映像を表示するＬＣＤ表示装置５２と、デジタルカメラ５０の各種条件を設定する際に用いられる設定キー５３と、撮影レンズの焦点距離を変更する時に用いるズームボタン５４と、被写体を観察するファインダ装置６０を有し、デジタルカメラ５０の正面側には、図示しない撮影レンズやストロボ等が配置されている。
【００４４】
ファインダ装置６０は、上記第１実施の形態から第５実施の形態の接眼式表示装置のいずれかが配置されている。
【００４５】
図示しない撮影レンズを介してカメラ本体５１内の図示しない撮像素子（例えば、ＣＣＤ素子）で撮像された被写体像は、図示しない画像処理手段で処理されて、ファインダ装置６０に配設された本願実施の形態にかかる接眼式表示装置６１の映像表示装置ＬＣＯＳに表示されて撮影者によって観察される。また、映像表示装置にはカメラの各種情報が併せて表示され撮影者に確認される。
【００４６】
ファインダ装置６０に本願第１、第２、及び第５実施の形態にかかるシースルー接眼式表示装置が配設されている場合には、外界の被写体像を目視で確認しながらカメラの各種情報を認識することが可能である。また、被写体を撮影したときには撮影した画像を映像表示装置ＬＣＯＳに表示して撮影結果を確認することも可能である。この際、外界の実像が明るくて邪魔になるときには、ファインダ装置６０の被写体側に遮光部材を挿入し外界からの光を遮断して表示映像を見やすくすることもできる。また本願第３、第４実施の形態の接眼式表示装置は、非シースルータイプであり外界の被写体像を目視することはできないが、撮像素子で撮像されている被写体像を観察することで同様の効果を奏する。
【００４７】
また、撮影レンズの焦点距離を変更した時、撮像素子に入射する被写体像を映像表示装置ＬＣＯＳに表示することによって、焦点距離に応じた被写体像を観察することが可能である。従来の光学式ファインダでは、光学部材を焦点距離に応じて移動させるため、光学部材の移動スペースを考慮した大きなファインダ空間が必要であり、撮影レンズの変倍比が大きくなるとファインダ装置６０部分がカメラ本体５１の厚さより大きくなってしまうことがあったが、本願実施の形態の接眼式表示装置では厚さ方向の変化は無く、カメラ５０の薄型化を容易に実現することができる。また、液晶素子を用いた電子ビューファインダに比べて、より高精細な画像を表示することが可能になる。
【００４８】
なお、シースルータイプを用いるか非シースルータイプを用いるかは適宜設計で決めれば良い。
【００４９】
また、上述の実施の形態は例に過ぎず、上述の構成や形状に限定されるものではなく、本発明の範囲内において適宜修正、変更が可能である。
【図面の簡単な説明】
【００５０】
【図１】本発明の第１実施の形態にかかる接眼式表示装置の概略構成図である。
【図２】図１の接眼式表示装置に用いられる偏光分離手段及びホログラムの分光反射特性を示す。
【図３】本発明の第２実施の形態にかかる接眼式表示装置の概略構成図である。
【図４】本発明の第３実施の形態にかかる接眼式表示装置の概略構成図である。
【図５】本発明の第４実施の形態にかかる接眼式表示装置の概略構成図である。
【図６】本発明の第５実施の形態にかかる接眼式表示装置の概略構成図である。
【図７】本発明の実施の形態にかかる接眼式表示装置をファインダ装置に用いたカメラの一例を示す概略構成図である。
【符号の説明】
【００５１】
１、１００、２００、３００、４００    接眼式表示装置
３、２３、３３    光導波路
５        偏光分離ミラー（ＰＢＳ）
７        映像表示装置（ＬＣＯＳ）
９        照明系
１１      偏光版
１３      ホログラム
１５      １／４波長板
１７      観察眼
１９      外界像
１１３    凹面鏡
５０      デジタルカメラ
５１      カメラ本体
５２      ＬＣＤ表示装置
５３      設定キー
５４      ズームボタン
５５      パワー付偏光分離ミラー（パワー付ＰＢＳ）
６０      ファインダ装置
６１      接眼式表示装置
【図１】
2006064994.tif 000003
【図２】
2006064994.tif 000004
【図３】
2006064994.tif 000005
【図４】
2006064994.tif 000006
【図５】
2006064994.tif 000007
【図６】
2006064994.tif 000008
【図７】
2006064994.tif 000009